(57)【要約】【課題】小型スピーカを内蔵する機器筐体内に存在する厚さ１ｍｍ以下の薄い空間を小型スピーカの背面の容積として利用し低域の音圧を上昇させる場合に、所望の周波数特性を得られるように、薄い容積の形状を最適化する。【解決手段】小型スピーカ３０はスピーカユニット１１の直後に設ける第１の気室部１２の下部から第１の気室部１２に対して直角の方向に厚さ１ｍｍ以下の薄い第２の気室部１４を延出する。第２の気室部１４は直方形状であって、第１の気室部１３の下部との接続端である一方の端１４ａと第１の気室部１３の下部からの延出端であるもう一方の端１４ｂの間の部分の一方の側縁１４ｃともう一方の側縁１４ｄの両方に切れ込み３１を複数ずつ入れて第２の気室部１４の一方の端１４ａともう一方の端１４ｂの間の部分の長さＬ方向分割し、共振しにくくする。【選択図】図５
2012019389.tif 000002
【特許請求の範囲】
【請求項１】
スピーカユニットと、上記スピーカユニットの背面の気室としての背室とを有し、上記背室は、上記スピーカユニットの直後に設ける第１の気室部と、上記第１の気室部の下部から上記第１の気室部に対して直角の方向に延出する厚さ１ｍｍ以下の薄い第２の気室部とを設ける小型スピーカにおいて、
上記第２の気室部は、直方形状であって、上記第１の気室部の下部との接続端である一方の端と上記第１の気室部の下部からの延出端であるもう一方の端の間の部分の一方の側縁ともう一方の側縁の少なくとも片方に切れ込みを入れてある小型スピーカ。
【請求項２】
上記請求項１に記載の小型スピーカにおいて、
上記切れ込みは、上記第２の気室部の一方の側縁ともう一方の側縁の両方に入れてある小型スピーカ
。
【請求項３】
上記請求項２に記載の小型スピーカにおいて、
上記切れ込みは、上記第２の気室部の一方の側縁に入れた切れ込みともう一方の側縁に入れた切れ込みが互いに対向するように、上記第２の気室部の一方の側縁ともう一方の側縁の両方に入れてある小型スピーカ。
【請求項４】
上記請求項１ないし請求項３のいずれか１つの請求項に記載の小型スピーカにおいて、
上記切れ込みは、上記第２の気室部の側縁１つ当たり複数で入れてある小型スピーカ。
【請求項５】
上記請求項２に記載の小型スピーカにおいて、
上記切れ込みは、上記第２の気室部の一方の側縁ともう一方の側縁の間の中央部を越える深さで上記第２の気室部の一方の側縁ともう一方の側縁の両方に千鳥状に入れてある小型スピーカ。
【請求項６】
上記請求項５に記載の小型スピーカにおいて、
上記切れ込みは、上記第２の気室部の側縁１つ当たり複数で入れてある小型スピーカ。
【請求項７】
上記請求項１ないし請求項６のいずれか１つの請求項に記載の小型スピーカにおいて、
複数の上記第２の気室部を設けて上記第１の気室部の下部から上記第１の気室部に対して直角の方向で異なる向きに延出してある小型スピーカ。
【請求項８】
上記請求項７に記載の小型スピーカにおいて、
２つの上記第２の気室部を設けて上記第１の気室部の下部から上記第１の気室部に対して直角の方向で逆向きに延出してある小型スピーカ。
【請求項９】
上記請求項１ないし請求項８のいずれか１つの請求項に記載の小型スピーカおいて、
上記切れ込みの形状は、細幅な矩形状にしてある小型スピーカ。
【請求項１０】
スピーカユニットと、上記スピーカユニットの背面の気室としての背室とを有し、上記背室は、上記スピーカユニットの直後に設ける第１の気室部と、上記第１の気室部の下部から上記第１の気室部に対して直角の方向に延出する厚さ１ｍｍ以下の薄い第２の気室部とを設ける小型スピーカにおいて、
上記第２の気室部は、上記第１の気室部の下部全周から上記第１の気室部の直角の方向に延出されて、上記第１の気室部の下部全周との接続端である一方の端部として閉曲線で構成された内縁と上記第１の気室部の下部全周からの延出端であるもう一方の端として閉曲線で構成された外縁とを有する厚さ１ｍｍ以下の薄い環形状であって、上記第２の気室部の外縁に複数の切れ込みを入れてある小型スピーカ。
【発明の詳細な説明】
【技術分野】
【０００１】
本発明は、スピーカ、特に携帯電話機、デジタルスチルカメラ、デジタルビデオカメラなどの電子機器に内蔵する小型スピーカに関する。
【背景技術】
【０００２】
小型スピーカを内蔵する電子機器の小型化により、小型スピーカの背面に十分な容積を確保することが困難になってきている。小型スピーカの背面の容積が小さいと小型スピーカの低域での音圧が低下する。
【０００３】
一方、機器筐体と内蔵される部品の間あるいは部品同士の間には、厚さ１ｍｍ以下の薄い隙間が存在しているが、この薄い空間を小型スピーカの背面の容積として利用することで、小型スピーカの低域の音圧を上昇させる技術がある（非特許文献１）。図１は、電子機器の筐体内に存在する薄い空間を小型スピーカの背面の容積として利用する構造の一例を示す電子機器の断面図である。
【０００４】
図１に示す電子機器１は、直方形状の筐体２を有し、小型スピーカ１０が他の部品３ａ，３ｂ，３ｃ，３ｄとともに筐体２に内蔵されている。筐体２の上面左側部に音孔２ａが設けられており、音孔２ａと対向するように小型スピーカ１０のスピーカユニット１１が筐体２内の上部に配置されている。筐体２内の上部であって、スピーカユニット１１の右側にあるスペースには、たとえばバッテリ３ａが配置され、スピーカユニット１１の左側にあるスペースには、たとえば外部機器や外部電源と接続するコネクタ３ｂが配置されている。また、筺体２内の下部には、たとえば集積回路や回路素子およびコネクタ３ｂなどを実装したプリント回路基板３ｃが配置され、プリント回路基板３ｃの下部には、たとえば液晶パネルや有機ＥＬパネルなどからなる表示パネル３ｄが配置されている。
【０００５】
ここで、バッテリ３ａとプリント回路基板３ｃの間には、たとえば筐体２の内側面より突出したリブ２ｂをスペーサとして厚さ１ｍｍ以下の薄い隙間４が設けられており、この薄い隙間４が、スピーカユニット１０の直後に設ける気室部１３の下部につながれて、小型スピーカ１０の背面の容積として利用されている。図２は、従来例の小型スピーカ（非特許文献１のｍｏｄｅｌ１）を示す外観斜視図である。
【０００６】
図２に示す従来例の小型スピーカ１０は、直方形状の角型のスピーカユニット１１と、スピーカユニット１１の背面の気室としての背室１２とを有し、背室１２は、スピーカユニット１１の直後に設ける直方形状の第１の気室部１３（非特許文献１では、容積：０．３８ｍｌ）と、第１の気室部１３の下部から第１の気室部１３に対して直角の方向に延出する厚さ１ｍｍ以下の薄い直方形状の第２の気室部１４（非特許文献１では、容積：幅２５ｍｍ×長さ５０ｍｍ×厚さ０．３ｍｍ）とを設けており、たとえば図１に示す電子機器１の筐体２内に存在する厚さ１ｍｍ以下の薄い隙間４のような電子機器の筐体内に存在する厚さ１ｍｍ以下の薄い空間を小型スピーカ１０の背面の容積として利用できる構造になっている。すなわち、電子機器の筐体内に存在する厚さ１ｍｍ以下の薄い空間を第２の気室部１４として利用している。なお、スピーカユニット１１には、主にドーム型の振動板１１ａを有する動電型小型スピーカユニット（図１参照）あるいは平面型の振動板を有する圧電型小型スピーカユニットが使用される。
【０００７】
そして、従来例の小型スピーカ１０おいて、スピーカユニット１１の正面側に放射された音は、音孔２ａを通じて電子機器１の外部に直接放射される。一方、スピーカユニット１１の背面側に放射された音は、背室１２内にある空気を媒体として、第１の気室部１３内を経て、第２の気室部１４の第１の気室部１３の下部との接続端である一方の端（開口端）１４ａから第２の気室部１４内に入射し、第２の気室部１４の第１の気室部１３の下部からの延出端であるもう一方の端（閉鎖端）１４ｂに向かって第２の気室部１４内を進み、そこで反射する。
【０００８】
図３は、比較例の小型スピーカ（非特許文献１のｍｏｄｅ２）を示す外観斜視図であり、図３に示す比較例の小型スピーカ２０は、背室１４が、スピーカユニット１１の直後に設ける第１の気室部１３（非特許文献１では、容積：０．３８ｍｌ）のみで構成されており、第２の気室部１４を設けていないこと以外、従来例の小型スピーカ１０と同一の構造を有している。
【０００９】
図４は、従来例の小型スピーカの周波数特性と比較例の小型スピーカの周波数特性を示す図である。図４によれば、１．５ｋＨｚ以下で、第２の気室部１４を設けていない比較例の小型スピーカ２０よりも第２の気室部１４を設けた従来例の小型スピーカ１０の方が高い音圧レベルが得られており、第２の気室部１４によって小型スピーカ１０の低域の音圧を上昇させていることが確認できる。
【００１０】
しかし、従来例の小型スピーカ１０の周波数特性には、１．７ｋＨｚに大きなディップが発生している。このようなディップは、第２の気室部１４の一方の端１４ａともう一方の端１４ｂの間の部分の長さＬ（図２参照）と第２の気室部１４に伝わる音の波長λとの関係によって発生する。具体的には、第２の気室部１４の一方の端１４ａともう一方の端１４ｂの間の部分の長さＬが５０ｍｍのとき、５０ｍｍは１．７ｋＨｚの音の１／４波長に相当し、１．７ｋＨｚで第２の気室部１４の一方の端１４ａともう一方の端１４ｂの間の部分の長さＬ方向全体で共振が生じるために、１．７ｋＨｚにディップが発生している。
【先行技術文献】
【特許文献】
【００１１】
【非特許文献１】日本音響学会２００９年秋季研究発表会講演論文集、社団法人日本音響学会、平成２１年９月８日、ｐ．７２９、７３０
【発明の概要】
【発明が解決しようとする課題】
【００１２】
従来例の小型スピーカ１０は、スピーカユニット１１と、スピーカユニット１１の背面の気室としての背室１２とを有し、背室１２は、スピーカユニット１１の直後に設ける第１の気室部１３と、第１の気室部１３の下部から第１の気室部１３に対して直角の方向に延出する厚さ１ｍｍ以下の薄い第２の気室部１４とを設けており、電子機器の筐体内に存在するような１ｍｍ以下の薄い空間を小型スピーカ１０の背面の容積として利用することで、小型スピーカ１０の低域の音圧を上昇させることができる。しかし、従来例の小型スピーカ１０の周波数特性には、大きなディップが発生し、改良の余地がある。
【００１３】
本発明は、従来例のような小型スピーカの改良にかかる発明であって、本発明の目的は、小型スピーカの背面の薄い気室部（第２の気室部）の容積を小さくすると小型スピーカの低域の音圧が低下するので、小型スピーカの低域の音圧が低下しないように、小型スピーカの背面の薄い気室部の容積をできる限り保ったまま、小型スピーカの周波数特性に発生するディップを小さくすることにある。
【課題を解決するための手段】
【００１４】
本発明は、スピーカユニットと、上記スピーカユニットの背面の気室としての背室とを有し、上記背室は、上記スピーカユニットの直後に設ける第１の気室部と、上記第１の気室部の下部から上記第１の気室部に対して直角の方向に延出する厚さ１ｍｍ以下の薄い第２の気室部（小型スピーカの背面の薄い気室部）とを設ける小型スピーカを前提とし、小型スピーカの所望の周波数特性を得られるように、上記第２の気室部の形状を最適化し、上記目的を達成するものである。
【００１５】
具体的には、第１の発明は、上記第２の気室部は、直方形状であって、上記第１の気室部の下部との接続端である一方の端と上記第１の気室部の下部からの延出端であるもう一方の端の間の部分の一方の側縁ともう一方の側縁の少なくとも片方に切れ込みを入れてある。
【００１６】
第２の発明は、上記第１の発明において、上記切れ込みは、上記第２の気室部の一方の側縁ともう一方の側縁の両方に入れてある。
【００１７】
第３の発明は、上記第２の発明において、上記切れ込みは、上記第２の気室部の一方の側縁に入れた切れ込みともう一方の側縁に入れた切れ込みが互いに対向するように、上記第２の気室部の一方の側縁ともう一方の側縁の両方に入れてある。
【００１８】
第４の発明は、上記第１の発明ないし第３の発明のいずれか１つの発明において、上記切れ込みは、上記第２の気室部の側縁１つ当たり複数で入れてある。
【００１９】
第５の発明は、上記第２の発明において、上記切れ込みは、上記第２の気室部の一方の側縁ともう一方の側縁の間の中央部を越える深さで上記第２の気室部の一方の側縁ともう一方の側縁の両方に千鳥状に入れてある。
【００２０】
第６の発明は、上記第５の発明において、上記切れ込みは、上記第２の気室部の側縁１つ当たり複数で入れてある。
【００２１】
第７の発明は、上記第１の発明ないし第６の発明のいずれか１の発明において、複数の上記第２の気室部を設けて上記第１の気室部の下部から上記第１の気室部に対して直角の方向で異なる向きに延出してある。
【００２２】
第８の発明は、上記第７の発明において、２つの上記第２の気室部を設けて上記第１の気室部の下部から上記第１の気室部に対して直角の方向で逆向きに延出してある。
【００２３】
第９の発明は、上記第１の発明ないし第８の発明のいずれか１つの発明において、上記切れ込みの形状は、細幅な矩形状にしてある。
【００２４】
第１０の発明は、上記第２の気室部は、上記第１の気室部の下部全周から上記第１の気室部の直角の方向に延出されて、上記第１の気室部の下部全周との接続端である一方の端部として閉曲線で構成された内縁と上記第１の気室部の下部全周からの延出端であるもう一方の端として閉曲線で構成された外縁とを有する厚さ１ｍｍ以下の薄い環形状であって、上記第２の気室部の外縁に複数の切れ込みを入れてある。
【発明の効果】
【００２５】
上記第１の発明によれば、第２の気室部は、厚さ１ｍｍ以下の薄い直方形状であるが、第２の気室部の第１の気室部の一方の端ともう一方の端の間の部分の一方の側縁ともう一方の側縁の少なくとも片方が、そこに入れてある切れ込みによって、第２の気室部の一方の端ともう一方の端の間の部分の長さ方向に分割され、また、凹凸も付くので、第２の気室部の一方の端ともう一方の端の間の部分の長さ方向全体での共振が起こりにくくなり、小型スピーカの低域の音圧が低下しないように、第２の気室部の容積をできる限り保ったまま、小型スピーカの周波数特性に発生するディップを小さくすることができる。
【００２６】
上記第２の発明によれば、上記第１の発明において、切れ込みは、第２の気室部の一方の側縁ともう一方の側縁の両方に入れてあるので、第２の気室部の一方の端ともう一方の端の間の部分の長さ方向全体での共振をさらに起こりにくくすることができる。
【００２７】
上記第３の発明によれば、上記第２の発明において、切れ込みは、第２の気室部の一方の側縁に入れた切れ込みともう一方の側縁に入れた切れ込みが互いに対向するように、第２の気室部の一方の側縁ともう一方の側縁の両方に入れてあるので、第２の気室部の一方の端ともう一方の端の間の部分の長さ方向全体での共振をさらに起こりにくくすることができる。
【００２８】
上記第４の発明によれば、上記第１の発明ないし第３の発明のいずれか１つの発明において、切れ込みは、第２の気室部の側縁１つ当たり複数で入れてあるので、第２の気室部の側縁１つ当たり１つで入れたときよりも、第２の気室部の一方の端ともう一方の端の間の部分の長さ方向全体での共振をさらに起こりにくくすることができる。
【００２９】
上記第５の発明によれば、上記第２の発明において、切れ込みは、第２の気室部の一方の側縁ともう一方の側縁の間の中央部を越える深さで第２の気室部の一方の側縁ともう一方の側縁の両方に千鳥状に入れてあるので、第２の気室部の一方の端ともう一方の端の間の部分の長さ方向は、一方の側縁の側ともう一方の側縁の側で交互に１８０度の折り返し角度で折り返しながら、第２の気室部の一方の端からもう一方の端にまで延びる矩形波のように蛇行して長くなり、第２の気室部の一方の端ともう一方の端の間の部分の長さ方向全体での共振が起こりにくくなり、小型スピーカの低域の音圧が低下しないように、第２の気室部の容積をできる限り保ったまま、小型スピーカの周波数特性に発生するディップを小さくすることができる。
【００３０】
上記第６の発明によれば、上記第５の発明において、切れ込みは、第２の気室部の側縁１つ当たり複数で入れてあるので、第２の気室部の側縁１つ当たり１つで入れたときよりも第２の気室部の一方の端ともう一方の端の間の部分の長さ方向はさらに長くなり、第２の気室部の一方の端ともう一方の端の間の部分の長さ方向全体での共振をさらに起こりにくくすることができる。
【００３１】
上記第７の発明によれば、上記第１の発明ないし第６の発明のいずれか１つの発明において、複数の第２の気室部を設けて第１の気室部の下部から第１の気室部に対して直角の方向で異なる向きに延出してあるので、個々の第２の気室部の一方の端ともう一方の端の間の部分の長さ方向は短くなり、第２の気室部の一方の端ともう一方の端の間の部分の長さ方向全体での共振が起こりにくくなり、小型スピーカの低域の音圧が低下しないように、第２の気室部の容積をできる限り保ったまま、小型スピーカの周波数特性に発生するディップを小さくすることができる。
【００３２】
上記第８の発明によれば、上記第７の発明において、２つの第２の気室部を設けて第１の気室部の下部から第１の気室部に対して直角の方向で逆向きに延出してあるので、個々の第２の気室部の一方の端ともう一方の端の間の部分の長さ方向は短くなり、第２の気室部の一方の端ともう一方の端の間の部分の長さ方向全体での共振が起こりにくくなり、小型スピーカの低域の音圧が低下しないように、第２の気室部の容積をできる限り保ったまま、小型スピーカの周波数特性に発生するディップを小さくすることができる。
【００３３】
上記第９の発明によれば、上記第１の発明ないし第８の発明のいずれか１つの発明において、切れ込みの形状は、細幅な矩形状にしてあるので、切れ込みの深さに関係なく幅方向を小さくすることができ、切れ込みによる第２の気室部の容積の減少を抑えやすくなり、低域の音圧が低下するのを容易に抑えることができる。
【００３４】
上記第１０の発明によれば、第２の気室部は、第１の気室部の下部全周から第１の気室部の直角の方向に延出されて、第１の気室部の下部全周との接続端である一方の端部として閉曲線で構成された内縁と第１の気室部の下部全周からの延出端であるもう一方の端として閉曲線で構成された外縁とを有する厚さ１ｍｍ以下の薄い環形状であるが、第２の気室部の外縁に入れる複数の切れ込みによって、第２の気室部の内縁と外縁の間の距離が第２の気室部の周方向で異なるので、第２の気室部の内縁と外縁の間の部分の周方向全体での共振が起こりにくくなり、小型スピーカの低域の音圧が低下しないように、第２の気室部の容積をできる限り保ったまま、小型スピーカの周波数特性に発生するディップを小さくすることができる。
【００３５】
以上のように本発明によれば、小型スピーカの低域の音圧が低下しないように、小型スピーカの背面の薄い気室部（第２の気室部）の容積をできる限り保ったまま、小型スピーカの周波数特性に発生するディップを小さくすることができる。
【図面の簡単な説明】
【００３６】
【図１】電子機器の筐体内に存在する薄い空間を小型スピーカの背面の容積として利用する構造の一例を示す電子機器の断面図である。
【図２】従来例の小型スピーカを示す外観斜視図である。
【図３】比較例の小型スピーカを示す外観斜視図である。
【図４】従来例の小型スピーカの周波数特性と比較例の小型スピーカの周波数特性を示す図である。
【図５】本発明にかかる実施例１の小型スピーカを示す外観斜視図である。
【図６】本発明にかかる実施例２の小型スピーカを示す外観斜視図である。
【図７】従来例の小型スピーカの周波数特性と実施例１の小型スピーカの周波数特性と実施例２の小型スピーカの周波数特性を示す図である。
【図８】本発明にかかる実施例３の小型スピーカを示す平面図である。
【図９】本発明にかかる実施例４の小型スピーカを示す平面図である。
【図１０】本発明にかかる実施例５の小型スピーカを示す平面図である。
【発明を実施するための形態】
【００３７】
以下、本発明の実施の形態の具体例としての実施例を図面に基づいて説明する。
【実施例１】
【００３８】
図５は、本発明にかかる実施例１の小型スピーカを示す外観斜視図である。
【００３９】
図５に示す実施例１の小型スピーカ３０は、第２の気室部１４に切れ込み３１を入れてあること以外、従来例の小型スピーカ１０と同一の構造を有している。
【００４０】
本実施例の小型スピーカ３０は、直方形状の角型のスピーカユニット１１と、スピーカユニット１１の背面の気室である背室１２とを有し、背室１２は、スピーカユニット１１の直後に設ける直方形状の第１の気室部１３と、第１の気室部１３の下部から第１の気室部１３に対して直角の方向に延出する厚さ１ｍｍ以下の薄い直方形状の第２の気室部１４とを設けており、従来例の小型スピーカ１０と同様に、たとえば図１に示す電子機器１の筐体２内に存在する厚さ１ｍｍ以下の薄い隙間４のような電子機器の筐体内に存在する１ｍｍ以下の薄い空間を小型スピーカ３０の背面の容積として利用することで、小型スピーカ３０の低域の音圧を上昇させることができる構造のものである。
【００４１】
そして、本実施例では、第２の気室部１４の第１の気室部１３の下部との接続端である一方の端１４ａと第２の気室部１４の第１の気室部１３の下部からの延出端であるもう一方の端１４ｂの間の部分の一方の側縁１４ｃともう一方の側縁１４ｄの少なくとも片方に切れ込み３１を入れてある。具体的には、切れ込み３１は、第２の気室部１４の一方の側縁１４ｃともう一方の側縁１４ｄの両方に入れてある。また、切れ込み３１は、第２の気室部１４の一方の側縁１４ｃに入れた切れ込み３１ともう一方の側縁１４ｄに入れた切れ込み３１が互いに対向するように、第２の気室部１４の一方の側縁１４ｃともう一方の側縁１４ｄの両方に入れてある。また、切れ込み３１は、第２の気室部１４の一方の側縁１４ｃともう一方の側縁１４ｄの両方に、それぞれ、複数ずつ（図５では４つずつ）入れてある。さらに、切れ込み３１は、第２の気室部１４の各側縁１４ｃ，１４ｄに対して等ピッチ間隔ｐ１で入れてある。
【００４２】
また、本実施例では、各切れ込み３１の形状は、一種類に統一してあり、個々の切れ込み３１の形状は、細幅な矩形状（スリット形状）にしてある。切れ込み３１の閉鎖端は、角張らせても丸みを付けてもよい。また、各切れ込み３１は、第２の気室部１４の各側縁１４ｃ，１４ｄに対して直角に入れてある。また、各切れ込み３１の深さは、一種類に統一してあり、個々の切れ込み３１の深さは、第２の気室部１４の一方の側縁１４ｃともう一方の側縁１４ｄの間の中央部に切れ込み３１が入らないように、やや浅い深さにしてある。
【００４３】
このような切れ込み３１は、たとえば図１に示す電子機器１においては、個々の切れ込み３１と同形状の突起を、第２の気室部１４の切れ込みパターンと同じパターンで、筐体２のリブ２ｂの端面から薄い隙間４内に突設することで、第２の気室部１４に入れることができる。
【００４４】
本実施例の第２の気室部１４は、厚さ１ｍｍ以下の薄い直方形状であるが、第２の気室部１４の一方の端１４ａともう一方の端１４ｂの間の部分の一方の側縁１４ｃともう一方の側縁１４ｄの少なくとも片方を、そこに入れてある切れ込み３１によって、第２の気室部１４の一方の端１４ａともう一方の端１４ｂの間の部分の長さＬ方向に５つに分割（略５等分）して、また、凹凸も付けて、第２の気室部１４の一方の端１４ａともう一方の端１４ｂの間の部分の長さＬ方向全体での共振を起こりにくくし、小型スピーカ３０の低域の音圧が低下しないように、第２の気室部１４の容積をできる限り保ったまま、小型スピーカ３０の周波数特性に発生するディップを小さくするようにしている。
【００４５】
また、切れ込み３１は、第２の気室部１４の一方の側縁１４ａともう一方の側縁１４ｂの両方に入れて、第２の気室部１４の一方の端１４ａともう一方の端１４ｂの間の部分の長さＬ方向全体での共振をさらに起こりにくくしている。
【００４６】
また、切れ込み３１は、第２の気室部１４の一方の側縁１４ｃに入れた切れ込み３１ともう一方の側縁１４ｄに入れた切れ込み３１が互いに対向するように、第２の気室部１４の一方の側縁１４ｃともう一方の側縁の両方に入れて、第２の気室部１４の一方の端１４ａともう一方の端１４ｂの間の部分の長さＬ方向全体での共振をさらに起こりにくくしている。
【００４７】
また、切れ込み３１は、第２の気室部１４の側縁１４ｃ，１４ｄの１つ当たり複数で入れて、第２の気室部１４の側縁１４ｃ，１４ｄの１つ当たり１つで入れたときよりも、第２の気室部１４の一方の端１４ａともう一方の端１４ｂの間の部分の長さＬ方向全体での共振をさらに起こりにくくしている。
【００４８】
また、切れ込み３１の形状は、細幅な矩形状にして、切れ込み３１の深さに関係なく幅方向を小さくし、切れ込み３１による第２の気室部１４の容積の減少を抑えやすくして、小型スピーカ３０の低域の音圧が低下するのを容易に抑えることができるようにしている。
【実施例２】
【００４９】
図６は、本発明にかかる実施例２の小型スピーカを示す外観斜視図である。
【００５０】
図６に示す実施例２の小型スピーカ４０は、第２の気室部１４に切れ込み４１を入れてあること以外、従来例の小型スピーカ１０と同一の構造を有している。
【００５１】
本実施例の小型スピーカ４０は、直方形状の角型のスピーカユニット１１と、スピーカユニット１１の背面の気室である背室１２とを有し、背室１２は、スピーカユニット１１の直後に設ける直方形状の第１の気室部１３と、第１の気室部１３の下部から第１の気室部１３に対して直角の方向に延出する厚さ１ｍｍ以下の薄い直方形状の第２の気室部１４とを設けており、従来例の小型スピーカ１０と同様に、たとえば図１に示す電子機器１の筐体２内に存在する厚さ１ｍｍ以下の薄い隙間４のような電子機器の筐体内に存在する１ｍｍ以下の薄い空間を小型スピーカ４０の背面の容積として利用することで、小型スピーカ４０の低域の音圧を上昇させることができる構造のものである。
【００５２】
そして、本実施例では、第２の気室部１４の第１の気室部１３の下部との接続端である一方の端１４ａと第２の気室部１４の第１の気室部１３の下部からの延出端であるもう一方の端１４ｂの間の部分の一方の側縁１４ｃともう一方の側縁１４ｄの少なくとも片方に切れ込み４１を入れてある。具体的には、切れ込み４１は、第２の気室部１４の一方の側縁１４ｃともう一方の側縁１４ｄの両方に入れてある。また、切れ込み４１は、第２の気室部１４の一方の側縁１４ｃともう一方の側縁１４ｄの間の中央部を越える深さで第２の気室部１４の一方の側縁１４ｃともう一方の側縁１４ｄの両方に千鳥状に入れてある。また、切れ込み４１は、第２の気室部１４の一方の側縁１４ｃともう一方の側縁１４ｄの両方に、それぞれ、複数ずつ（図６では２つずつ）入れてある。さらに、切れ込み３１は、第２の気室部１４の一方の側縁１４ｃともう一方の側縁１４ｄに対して交互に互い違いに（千鳥状に）等ピッチ間隔ｐ２で入れてある。
【００５３】
また、本実施例では、各切れ込み４１の形状は、一種類に統一してあり、個々の切れ込み４１の形状は、細幅な矩形状（スリット形状）にしてある。切れ込み３１の閉鎖端は、角張らせても丸みを付けてもよい。また、各切れ込み４１は、第２の気室部１４の各側縁１４ｃ，１４ｄに対して直角に入れてある。また、各切れ込み４１の深さは、一種類に統一してあり、第２の気室部１４の一方の側縁１４ｃともう一方の側縁１４ｄの間の中央部を越える深さにしてある。
【００５４】
このような切れ込み４１は、図１に示す電子機器１においては、個々の切れ込み４１と同形状の突起を、第２の気室部１４の切れ込みパターンと同じパターンで、筐体２のリブ２ｂの端面から薄い隙間４内に突設することで、第２の気室部１４に入れることができる。
【００５５】
本実施例の第２の気室部１４は、厚さ１ｍｍ以下の薄い直方形状であるが、第２の気室部１４の一方の端１４ａともう一方の端１４ｂの間の部分の一方の側縁１４ｃともう一方の側縁１４ｄの両方を、そこに入れてある切れ込み４１によって、第２の気室部１４の一方の端１４ａともう一方の端１４ｂの間の部分の長さＬ方向に３つに分割して、また、凹凸も付けて、第２の気室部１４の一方の端１４ａともう一方の端１４ｂの間の部分の長さＬ方向全体での共振を起こりにくくし、小型スピーカ４０の低域の音圧が低下しないように、第２の気室部１４の容積をできる限り保ったまま、小型スピーカ４０の周波数特性に発生するディップを小さくするようにしている。また、切れ込み４１は、第２の気室部１４の一方の側縁１４ｃともう一方の側縁１４ｄの間の中央部を越える深さで第２の気室部１４の一方の側縁１４ｃともう一方の側縁１４ｄの両方に千鳥状に入れてあり、第２の気室部１４の一方の端１４ａともう一方の端１４ｂの間の部分の長さＬ方向を、一方の側縁１４ｃの側ともう一方の側縁１４ｄの側で交互に１８０度の折り返し角度で折り返しながら（図６では折り返し回数４）、第２の気室部１４の一方の端１４ａからもう一方の端１４ｂにまで延びる矩形波のように蛇行させて長くし、すなわち、第２の気室部１４の一方の端１４ａともう一方の端１４ｂの間の長さＬ方向を長くし、長くした第２の気室部１４ａの一方の端１４ａともう一方の端１４ｂの間の部分の長さＬ方向を長くする前の第２の気室部１４の形状内に折り畳んだ状態にし、第２の気室部１４の一方の端１４ａともう一方の端１４ｂの間の部分の長さＬ方向全体での共振を起こりにくくし、小型スピーカ４０の低域の音圧が低下しないように、第２の気室部１４の容積をできる限り保ったまま、小型スピーカ４０の周波数特性に発生するディップを小さくするようにしている。
【００５６】
また、切れ込み４１は、第２の気室部１４の側縁１４ｃ，１４ｄの１つ当たり複数で入れて、第２の気室部１４の側縁１４ｃ，１４ｄの１つ当たり１つで入れたときよりも、第２の気室部１４の一方の端１４ａともう一方の端１４ｂの間の部分の長さＬ方向をさらに長くし、第２の気室部１４の一方の端１４ａともう一方の端１４ｂの間の部分の長さＬ方向全体での共振をさらに起こりにくくしている。
【００５７】
また、切れ込み４１の形状は、細幅な矩形状にして、切れ込み４１の深さに関係なく幅方向を小さくし、切れ込み４１による第２の気室部１４の容積の減少を抑えやすくして、小型スピーカ４０の低域の音圧が低下するのを容易に抑えることができるようにしている。
【００５８】
実施例１、２の小型スピーカ３０、４０は、第２の気室部１４に入れる切れ込み３１，４１以外、同一の構造を有している。
【００５９】
図７は、従来例の小型スピーカの周波数特性と実施例１の小型スピーカの周波数特性と実施例２の小型スピーカの周波数特性を示す図である。
【００６０】
図７によれば、第２の気室部１４に切れ込み３１を入れた実施例１の小型スピーカ３０と第２の気室部１４に切れ込み４１を入れた実施例２の小型スピーカ４０のいずれの周波数特性にもディップが発生しているが、実施例１の小型スピーカ３０の周波数特性では、第２の気室部１４に切れ込みを入れていない従来例の小型スピーカ１０の周波数特性に対し、低い周波数（１．３ｋＨｚ付近）にディップがあり、ディップ自体も小さいものになっており、また、実施例２の小型スピーカ４０の周波数特性では、従来例の小型スピーカ１０の周波数特性に対し、実施例１の小型スピーカ３０の周波数特性よりも、さらに低い周波数（６００Ｈｚ付近）にディップがあり、ディップ自体も深さはなく平坦で最小のものになっている。
【００６１】
また、音圧についても、実施例１の小型スピーカ３０の周波数特性では、従来例の小型スピーカ１０の周波数特性に対し、１ｋＨｚ以下で同等の音圧が得られており、１．５ｋＨｚから２．０ｋＨｚで高い音圧が得られており、また、実施例２の小型スピーカ４０の周波数特性では、従来例の小型スピーカ１０の周波数特性に対し、５００Ｈｚ以下で同等の音圧が得られており、１．４ｋＨｚから２．０ｋＨｚで高い音圧が得られている。
【００６２】
一方、実施例１の小型スピーカ３０の周波数特性では、従来例の小型スピーカ１０の周波数特性に対し、１ｋＨｚから１．５ｋＨｚで音圧が低くなっており、実施例２の小型スピーカ４０の周波数特性では、従来例の小型スピーカ１０の周波数特性に対し、５００Ｈｚから１．４ｋＨｚで音圧が低くなっているが、第２の気室部１４を設けていない比較例の小型スピーカ２０の周波数特性に比べて低くはなっていない。実施例１、２の小型スピーカ３０、４０の周波数特性では、第２の気室部１４に入れる切れ込み３１、４１の数や切れ込み３１、４１の幅をさらに細くすることなどで、従来例の小型スピーカ１０の周波数特性の音圧と同等あるいはそれに近い音圧を得ることができる。
【００６３】
このようなことから、第２の気室部１４に入れる切れ込み３１あるいは４１の有効性を確認することができた。
【００６４】
実施例１の小型スピーカ３０では、第２の気室部１４は、厚さ１ｍｍ以下の薄い直方形状であるが、一方の端１４ａともう一方の端１４ｂの間の部分の一方の側縁１４ｃともう一方の側縁１４ｄの少なくとも片方が、そこに入れてある切れ込み３１によって、第２の気室部１４の一方の端１４ａともう一方の端１４ｂの間の部分の長さＬ方向に分割され、凹凸も付くので、第２の気室部１４の一方の端１４ａともう一方の端１４ｂの間の部分の長さＬ方向全体での共振が起こりにくくなり、小型スピーカ３０の低域の音圧が低下しないように、第２の気室部１４の容積をできる限り保ったまま、小型スピーカ３０の周波数特性に発生するディップを小さくすることができ、従来例の小型スピーカ１０に比べて高い音響性能を得ることができる。
【００６５】
実施例２の小型スピーカ４０では、第２の気室部１４は、厚さ１ｍｍ以下の薄い直方形状であるが、一方の端１４ａともう一方の端１４ｂの間の部分の一方の側縁１４ｃともう一方の側縁１４ｄの両方が、そこに入れてある切れ込み４１によって、第２の気室部１４の一方の端１４ａともう一方の端１４ｂの間の部分の長さＬ方向に分割され、凹凸も付くので、第２の気室部１４の一方の端１４ａともう一方の端１４ｂの間の部分の長さＬ方向全体での共振が起こりにくくなり、小型スピーカ４０の低域の音圧が低下しないように、第２の気室部１４の容積をできる限り保ったまま、小型スピーカ４０の周波数特性に発生するディップを小さくすることができ、従来例の小型スピーカ１０に比べて高い音響性能を得ることができる。また、切れ込み４１は、第２の気室部１４の一方の側縁１４ｃともう一方の側縁１４ｄの間の中央部を越える深さで第２の気室部１４の一方の側縁１４ｃともう一方の側縁１４ｄの両方に千鳥状に入れてあり、第２の気室部１４の一方の端１４ａともう一方の端１４ｂの間の部分の長さＬ方向は、一方の側縁１４ｃの側ともう一方の側縁１４ｄの側で交互に１８０度の折り返し角度で折り返しながら、第２の気室部１４の一方の端１４ａからもう一方の端１４ｂにまで延びる矩形波のように蛇行して長くなり、第２の気室部１４の一方の端１４ａともう一方の端１４ｂの間の部分の長さＬ方向全体での共振が起こりにくくなり、小型スピーカ４０の低域の音圧が低下しないように、第２の気室部１４の容積をできる限り保ったまま、小型スピーカ４０の周波数特性に発生するディップを小さくすることができ、実施例１の小型スピーカ３０に比べて高い音響性能を得ることができる。
【実施例３】
【００６６】
図８は、本発明にかかる実施例３の小型スピーカを示す外観斜視図である。
【００６７】
実施例１、２の小型スピーカ３０、４０では、従来例の小型スピーカ１０と同様に、厚さ１ｍｍ以下の薄い直方形状の第２の気室部１４を１つ設けて、スピーカユニット１１の直後に設ける直方形状の第１の気室部１３の下部から第１の気室部１３に対して直角の一方向に延出したが、図８に示す実施例３の小型スピーカ５０は、２つ（複数の一例）の第２の気室部１４を設けて、図示しない第１の気室部１３の下部から第１の気室部１３に対して直角の方向で逆向き（異なる向きの一例）に延出しており、各第２の気室部１４に、それぞれ、切れ込みを入れてある。各第２の気室部１４に入れる切れ込みは、実施例１の第２の気室部１４に入れた切れ込み３１あるいは実施例２の第２の気室部１４に入れた切れ込み４１のいずれでもよく、また、各第２の気室部１４に対して同じ切れ込み３１あるいは４１を入れても、一方の第２の気室部１４に対しては実施例１の切れ込み３１を入れ、もう一方の第２の気室部１４に対しては実施例２の切れ込み４１を入れてもよい。図６には、各第２の気室部１４に対して実施例１の切れ込み３１を入れたものを示してある。
【００６８】
本実施例の小型スピーカ５０は、実施例１、２の小型スピーカ３０、４０と同様に、直方形状の角型のスピーカユニット１１と、スピーカユニット１１の背面の気室である図示しない背室１２とを有し、背室１２は、スピーカユニット１１の直後に設ける図示しない直方形状の第１の気室部１３と、第１の気室部１３の下部から第１の気室部１３に対して直角の方向に延出する厚さ１ｍｍ以下の薄い直方形状の第２の気室部１４とを設けており、電子機器の筐体内に存在する１ｍｍ以下の薄い空間を小型スピーカ３０の背面の容積として利用することで、小型スピーカ３０の低域の音圧を上昇させることができる構造のものである。
【００６９】
また、本実施例の第２の気室部１４には、実施例１の切れ込み３１あるいは実施例２の切れ込み４１を入れてあるので、それらの切れ込み３１あるいは４１の作用として、第２の気室部１４の一方の端１４ａともう一方の端１４ｂの間の部分の長さＬ方向全体での共振が起こりにくくなり、小型スピーカ５０の低域の音圧が低下しないように、第２の気室部１４の容積をできる限り保ったまま、小型スピーカ５０の周波数特性に発生するディップを小さくすることができる。
【００７０】
また、本実施例の小型スピーカ５０では、２つの第２の気室部１４を設けて図示しない第１の気室部１３の下部から第１の気室部１３に対して直角の方向で逆向きに延出してあるので、個々の第２の気室部１４の一方の端１４ａともう一方の端１４ｂの間の部分の長さＬ方向は短くなり（従来例、実施例１、実施例２の第２の気室部１４に比べて）、第２の気室部１４の一方の端１４ａともう一方の端１４ｂの間の部分の長さＬ方向全体での共振が起こりにくくなり、小型スピーカ５０の低域の音圧が低下しないように、第２の気室部１４の容積をできる限り保ったまま、小型スピーカ５０の周波数特性に発生するディップを小さくすることができる。
【００７１】
また、本実施例の小型スピーカ５０は、たとえば図１に示す電子機器１において、筐体２の上面の左右中央部に音孔２ａが設けられている場合などの音孔配置に対して好適であり、第２の気室部１４に必要な容積を容易に確保することができる。
【実施例４】
【００７２】
図９は、本発明にかかる実施例４の小型スピーカを示す外観斜視図である。
【００７３】
実施例１、２、３の小型スピーカ３０、４０、５０では、従来例の小型スピーカ１０と同様に、直方形状の角型のスピーカユニット１１を使用したが、図９に示す実施例４の小型スピーカ６０は、円形な丸型のスピーカユニット６１を使用しており、丸型のスピーカユニット６１と、スピーカユニット６１の背面の気室である図示しない背室とを有し、背室は、スピーカユニット６１の直後に設ける図示しない円柱形状の第１の気室部と、第１の気室部の下部から第１の気室部に対して直角の方向に延出する厚さ１ｍｍ以下の薄い第２の気室部６４とを設けており、電子機器の筐体内に存在する１ｍｍ以下の薄い空間を小型スピーカ６０の背面の容積として利用することで、小型スピーカ６０の低域の音圧を上昇させることができる構造のものである。
【００７４】
そして、本実施例では、第２の気室部６４は、第１の気室部の下部全周から第１の気室部の直角の方向に延出されて、第１の気室部の下部全周との接続端である一方の端部として閉曲線で構成された内縁６４ａと第１の気室部の下部全周からの延出端であるもう一方の端として閉曲線で構成された外縁６４ｂとを有する厚さ１ｍｍ以下の薄い環形状であって、第２の気室部６４の外縁６４に複数（図９では４つ）の切れ込み６５を等角度間隔で入れてある。
【００７５】
本実施例の第２の気室部６４は、厚さ１ｍｍ以下の薄い環形状であるが、第２の気室部６４の外縁６ａｂに入れる複数の切れ込み６５によって、第２の気室部６４の内縁６４ａと外縁６４ｂの間の距離Ｒが第２の気室部６４の周方向で異なるので、第２の気室部６４の内縁６４ａと外縁６４ｂの間の部分の周方向全体での共振が起こりにくくなり、小型スピーカ６０の低域の音圧が低下しないように、第２の気室部６４の容積をできる限り保ったまま、小型スピーカ６０の周波数特性に発生するディップを小さくすることができる。
【００７６】
なお、図９には、スピーカユニット６１と第１の気室部を同軸上に配置し、これらスピーカユニット６１と第１の気室部に対して同心な第２の気室部６４を示したが、第２の気室部６４は、スピーカユニット６１と第１の気室部に対して同心でない偏芯したものであってもよい。また、丸型のスピーカユニット６１と第１の気室部を同軸上に配置し、これらスピーカユニット６１と第１の気室部に対して同心な円形の第２の気室部６４を示したが、第２の気室部６４は、楕円形であってもよい。このようにスピーカユニット６１と第１の気室部に対して同心でない偏芯した円形の第２の気室部６４および楕円形の第２の気室部６４であると、共振周波数の拡散効果がさらに助長されるので、第２の気室部６４の内縁６４ａと外縁６４ｂの間の部分の周方向全体での共振をさらに起こりにくくすることができる。
【実施例５】
【００７７】
図１０は、本発明にかかる実施例５の小型スピーカを示す外観斜視図である。
【００７８】
図１０に示す実施例５の小型スピーカ７０は、実施例１の角型のスピーカユニット１１に代えてＤ型のスピーカユニット７１を使用した以外、実施例１の小型スピーカ３０と同一の構造を有している。なお、実施例２の角型のスピーカユニット１１に代えてＤ型のスピーカユニット７１を使用してもよい。
【００７９】
以上、実施例１ないし５は本発明の実施の形態の具体例を示したが、本発明はそれに限定されることなく、その要旨を逸脱しない範囲内で種々変形実施することができる。たとえば各実施例において、例示したスピーカユニット以外の形状、たとえば角型、丸型、Ｄ型、オーバル型などのスピーカユニットであってもよい。また、例示したスピーカユニット以外の変換方式、たとえば動電型、圧電型などのスピーカユニットであってもよい。また、例示した振動板以外のドーム型、平面型などのスピーカユニットであってもよい。
【符号の説明】
【００８０】
１１，６１  スピーカユニット
１２  背室
１３  第１の気室
１４，６４  第２の気室
１４ａ  一方の一端
１４ｂ  もう一方の一端
１４ｃ  一方の側縁
１４ｄ  もう一方の側縁
３０，４０，５０，６０  小型スピーカ
３１，４１，６５  切れ込み
６４ａ  内縁
６４ｂ  外縁
Ｌ  長さ
【図１】
2012019389.tif 000003
【図２】
2012019389.tif 000004
【図３】
2012019389.tif 000005
【図４】
2012019389.tif 000006
【図５】
2012019389.tif 000007
【図６】
2012019389.tif 000008
【図７】
2012019389.tif 000009
【図８】
2012019389.tif 000010
【図９】
2012019389.tif 000011
【図１０】
2012019389.tif 000012